(57)【要約】【課題】  撮影装置側で画像ファイルを管理することにより使い勝手を向上することができる撮影装置及びそのプログラムを実現する。【解決手段】  デジタルカメラ１で撮影を行なうと、該撮影された画像データに基づいて画像ファイルを生成してフラッシュメモリ１３に記録させる。このとき、画像ファイルのヘッダーには本デジタルカメラ１で撮影した画像ファイルであること示す撮影画像情報を記録させる。そして、本デジタルカメラ１で撮影された画像ファイルが外部記録装置にコピーされると、該コピーの元となった画像ファイルのヘッダーにコピー情報、及びコピー先の識別情報を記録させる。  これにより、本デジタルカメラ１で撮影された画像ファイルのうち、既にコピーされた画像ファイルであるか否か、どこにコピーされたのか等の管理をデジタルカメラ１側で行なうことができる。【選択図】  図６
2008092075.tif 000002
【特許請求の範囲】
【請求項１】
被写体の光を画像データに変換して出力する撮像素子を用いて被写体の撮影を行なう撮影制御手段と、
前記撮影制御手段により得られた画像データに、本撮影装置で撮影された旨を示す撮影画像情報を付して記録手段に記録する記録制御手段と、
前記記録手段に記録されている画像データを元画像データとし、該元画像データをコピーして得られた複製画像データを外部記録装置に転送する転送手段と、
前記転送手段によりコピー転送される元画像データに撮影画像情報が付されている場合は、元画像データにコピー情報を付加させる付加手段と、
を備えたことを特徴とする撮影装置。
【請求項２】
前記記録手段は、
本撮影装置で撮影されていない画像データも記録可能であることを特徴とする請求項１記載の撮影装置。
【請求項３】
前記転送手段によるコピー転送に先立って、コピー転送される元画像データが前記外部記録装置に既にコピー転送されたことがある元画像データであるか否かを判断する転送済判断手段と、
前記転送済判断手段により既にコピー転送されたことがある元画像データであると判断された場合は、前記転送手段によるコピー転送に先立って、コピー転送の確認表示を行う転送確認手段と、
を備えたことを特徴とする請求項１又は２記載の撮影装置。
【請求項４】
前記転送済判断手段は、
前記外部記録装置の識別情報に基づいて、コピー転送される元画像データが該外部記録装置に既にコピー転送されたことがある元画像データであるか否かを判断することを特徴とする請求項３記載の撮影装置。
【請求項５】
前記付加手段は、
前記転送手段によりコピー転送された転送先の前記外部記録装置の識別情報も、前記転送手段によるコピー転送の元となった元画像データに付加させ、
前記判断手段は、
コピー転送される元画像データに前記付加手段により識別情報が付加されていない場合、及び、前記付加手段により付加された識別情報と前記外部記録装置の識別情報とが一致しない場合は、コピー転送される元画像データが該外部記録装置に未だコピー転送されたことのない元画像データであると判断することを特徴とする請求項４記載の撮影装置。
【請求項６】
前記転送手段は、
コピー転送させたことのある外部記録装置に、同一の元画像データが再びコピー転送されることを禁止する手段を含むことを特徴とする請求項１又は２記載の撮影装置。
【請求項７】
前記記録手段に記録されている元画像データを消去する消去手段と、
前記消去手段により消去される元画像データに撮影画像情報が付されている場合は、前記消去手段による消去に先立って、該画像データにコピー情報が付されているか否かを判断する判断手段と、
前記判断手段により、消去される元画像データにコピー情報が付されていない場合は、前記消去手段による消去に先立って、未コピーである旨の警告を行う第１の警告手段と、
を備えたことを特徴とする請求項１乃至６の何れかに記載の撮影装置。
【請求項８】
前記判断手段により、前記消去手段により消去される元画像データにコピー情報が付されている場合であって、該コピー情報に基づくコピー転送回数が所定回数より多い場合は、前記消去手段による消去に先立って、重要度が高い元画像データである旨の警告を行なう第２の警告手段を備えたことを特徴とする請求項７記載の撮影装置。
【請求項９】
前記記録手段に記録されている元画像データのうち、撮影画像情報が付されており、且つ、コピー情報が付されていない元画像データに対して第１の消去ガードをかける第１の消去ガード手段を備えたことを特徴とする請求項１乃至６の何れかに記載の撮影装置。
【請求項１０】
前記第１の消去ガード手段は、
消去ガードがかけられた元画像データが、前記付加手段によりコピー情報が付加された場合は、消去ガードを解除させる手段を含むことを特徴とする請求項９記載の撮影装置。
【請求項１１】
前記記録手段に記録されているコピー情報が付加されている元画像データのうち、コピー情報に基づくコピー転送回数が所定回数以上の元画像データに対して第２の消去ガードをかける第２の消去ガード手段を備えたことを特徴とする請求項１乃至１０の何れかに記載の撮影装置。
【請求項１２】
前記記録手段の空き容量が所定量以下か否かを判断する空き容量判断手段と、
前記空き容量判断手段により所定量以下と判断された場合は、前記記録手段に記録されている元画像データに付加されている情報に基づいて、消去優先度の高い順に元画像データを決定し、該決定された元画像データから自動的に消去することにより、前記記録手段の空き容量を所定量以上にする自動消去手段と、
を備えたことを特徴とする請求項１乃至１１の何れかに記載の撮影装置。
【請求項１３】
前記記録手段に記録されている元画像データを再生表示させる再生表示制御手段を備え、
前記再生表示制御手段は、
再生表示させる元画像データにコピー情報が付されている場合には、該元画像データとともに該コピー情報も表示させることを特徴とする請求項１乃至１２の何れかに記載の撮影装置。
【請求項１４】
前記転送手段は、コピー転送される元画像データに撮影画像情報またはコピー情報が付されている場合であっても、コピー転送のためにコピーされた複製画像データには、前記撮影画像情報またはコピー情報を付すことなく外部記録装置にコピー転送することを特徴とする請求項１乃至１３の何れかに記載の撮影装置。
【請求項１５】
被写体の光を画像データに変換して出力する撮像素子を用いて被写体の撮影を行なう撮影制御処理と、
前記撮影制御処理により得られた画像データに、本撮影装置で撮影された旨を示す撮影画像情報を付して記録媒体に記録する記録制御処理と、
前記記録媒体に記録されている画像データを元画像データとし、該元画像データをコピーして得られた複製画像データを外部記録装置に転送する転送処理と、
前記転送処理によりコピー転送される元画像データに撮影画像情報が付されている場合は、元画像データにコピー情報を付加させる付加処理と、
を含み、上記各処理をコンピュータで実行させることを特徴とするプログラム。
【発明の詳細な説明】
【技術分野】
【０００１】
本発明は、撮影装置及びそのプログラムに係り、詳しくは、撮影画像を管理する撮影装置及びそのプログラムに関する。
【背景技術】
【０００２】
撮影装置においては、例えば、デジタルカメラにおいて、撮影された画像データは、内蔵されている記録媒体や、デジタルカメラに着脱可能なメモリ１１カード等の外部記録媒体に保存される。
しかしながら、内蔵記録媒体や外部記録媒体は、記録容量に限度があるため、記録された画像データを、他の外部記録装置（パソコン等）にコピーした後（バックアップした後）、該画像データを削除するという方法が提案されている（特許文献１）。
【０００３】
【特許文献１】公開特許公報  特開２００５−５０１９２号
【発明の開示】
【発明が解決しようとする課題】
【０００４】
しかしながら、上記技術によれば、パソコンとデジタルカメラとを接続し、パソコンの主導のもと、デジタルカメラ内のバックアップした画像データを自動消去することができるが、ある特定のパソコンのみがデジタルカメラに記録されている画像を管理してしまい、他のパソコン等の外部記録装置では管理することができない。例えば、該特定のパソコンは、他のパソコン等にバックアップされている画像ファイルまでもバックアップしてしまったり、他のパソコン等にバックアップされていない画像ファイルを消去してしまい、使い勝手が悪い。
【０００５】
そこで本発明は、かかる従来の問題点に鑑みてなされたものであり、撮影装置側で画像ファイルを管理することにより使い勝手を向上することができる撮影装置及びそのプログラムを提供することを目的とする。
【課題を解決するための手段】
【０００６】
上記目的達成のため、請求項１記載の発明による撮影装置は、被写体の光を画像データに変換して出力する撮像素子を用いて被写体の撮影を行なう撮影制御手段と、
前記撮影制御手段により得られた画像データに、本撮影装置で撮影された旨を示す撮影画像情報を付して記録手段に記録する記録制御手段と、
前記記録手段に記録されている画像データを元画像データとし、該元画像データをコピーして得られた複製画像データを外部記録装置に転送する転送手段と、
前記転送手段によりコピー転送される元画像データに撮影画像情報が付されている場合は、元画像データにコピー情報を付加させる付加手段と、
を備えたことを特徴とする。
【０００７】
また、例えば、請求項２に記載されているように、前記記録手段は、
本撮影装置で撮影されていない画像データも記録可能であるようにしてもよい。
【０００８】
また、例えば、請求項３に記載されているように、前記転送手段によるコピー転送に先立って、コピー転送される元画像データが前記外部記録装置に既にコピー転送されたことがある元画像データであるか否かを判断する転送済判断手段と、
前記転送済判断手段により既にコピー転送されたことがある元画像データであると判断された場合は、前記転送手段によるコピー転送に先立って、コピー転送の確認表示を行う転送確認手段と、
を備えるようにしてもよい。
【０００９】
また、例えば、請求項４に記載されているように、前記転送済判断手段は、
前記外部記録装置の識別情報に基づいて、コピー転送される元画像データが該外部記録装置に既にコピー転送されたことがある元画像データであるか否かを判断するようにしてもよい。
【００１０】
また、例えば、請求項５に記載されているように、前記付加手段は、
前記転送手段によりコピー転送された転送先の前記外部記録装置の識別情報も、前記転送手段によるコピー転送の元となった元画像データに付加させ、
前記判断手段は、
コピー転送される元画像データに前記付加手段により識別情報が付加されていない場合、及び、前記付加手段により付加された識別情報と前記外部記録装置の識別情報とが一致しない場合は、コピー転送される元画像データが該外部記録装置に未だコピー転送されたことのない元画像データであると判断するようにしてもよい。
【００１１】
また、例えば、請求項６に記載されているように、前記転送手段は、
コピー転送させたことのある外部記録装置に、同一の元画像データが再びコピー転送されることを禁止する手段を含むようにしてもよい。
【００１２】
また、例えば、請求項７に記載されているように、前記記録手段に記録されている元画像データを消去する消去手段と、
前記消去手段により消去される元画像データに撮影画像情報が付されている場合は、前記消去手段による消去に先立って、該画像データにコピー情報が付されているか否かを判断する判断手段と、
前記判断手段により、消去される元画像データにコピー情報が付されていない場合は、前記消去手段による消去に先立って、未コピーである旨の警告を行う第１の警告手段と、
を備えるようにしてもよい。
【００１３】
また、例えば、請求項８に記載されているように、前記判断手段により、前記消去手段により消去される元画像データにコピー情報が付されている場合であって、該コピー情報に基づくコピー転送回数が所定回数より多い場合は、前記消去手段による消去に先立って、重要度が高い元画像データである旨の警告を行なう第２の警告手段を備えるようにしてもよい。
【００１４】
また、例えば、請求項９に記載されているように、前記記録手段に記録されている元画像データのうち、撮影画像情報が付されており、且つ、コピー情報が付されていない元画像データに対して第１の消去ガードをかける第１の消去ガード手段を備えるようにしてもよい。
【００１５】
また、例えば、請求項１０に記載されているように、前記第１の消去ガード手段は、
消去ガードがかけられた元画像データが、前記付加手段によりコピー情報が付加された場合は、消去ガードを解除させる手段を含むようにしてもよい。
【００１６】
また、例えば、請求項１１に記載されているように、前記記録手段に記録されているコピー情報が付加されている元画像データのうち、コピー情報に基づくコピー転送回数が所定回数以上の元画像データに対して第２の消去ガードをかける第２の消去ガード手段を備えるようにしてもよい。
【００１７】
また、例えば、請求項１２に記載されているように、前記記録手段の空き容量が所定量以下か否かを判断する空き容量判断手段と、
前記空き容量判断手段により所定量以下と判断された場合は、前記記録手段に記録されている元画像データに付加されている情報に基づいて、消去優先度の高い順に元画像データを決定し、該決定された元画像データから自動的に消去することにより、前記記録手段の空き容量を所定量以上にする自動消去手段と、
を備えるようにしてもよい。
【００１８】
また、例えば、請求項１３に記載されているように、前記記録手段に記録されている元画像データを再生表示させる再生表示制御手段を備え、
前記再生表示制御手段は、
再生表示させる元画像データにコピー情報が付されている場合には、該元画像データとともに該コピー情報も表示させるようにしてもよい。
【００１９】
また、例えば、請求項１４に記載されているように、前記転送手段は、
コピー転送される元画像データに撮影画像情報またはコピー情報が付されている場合であっても、コピー転送のためにコピーされた複製画像データには、前記撮影画像情報またはコピー情報を付すことなく外部記録装置にコピー転送するようにしてもよい。
【００２０】
上記目的達成のため、請求項１５記載の発明によるプログラムは、被写体の光を画像データに変換して出力する撮像素子を用いて被写体の撮影を行なう撮影制御処理と、
前記撮影制御処理により得られた画像データに、本撮影装置で撮影された旨を示す撮影画像情報を付して記録媒体に記録する記録制御処理と、
前記記録媒体に記録されている画像データを元画像データとし、該元画像データをコピーして得られた複製画像データを外部記録装置に転送する転送処理と、
前記転送処理によりコピー転送される元画像データに撮影画像情報が付されている場合は、元画像データにコピー情報を付加させる付加処理と、
を含み、上記各処理をコンピュータで実行させることを特徴とする。
【発明の効果】
【００２１】
本発明によれば、本撮影装置で撮影された画像ファイルであるのかどうかを区別することができるとともに、本撮影装置で撮影された画像ファイルのうち、どの画像ファイルが既にコピーされたものであるかを認識することができ、画像ファイルの管理を撮像装置側で行なうことができる。
【発明を実施するための最良の形態】
【００２２】
以下、本実施の形態について、本発明の撮影装置をデジタルカメラに適用した一例として図面を参照して詳細に説明する。
[実施の形態]
【００２３】
Ａ．デジタルカメラの構成
図１は、本発明の撮影装置を実現するデジタルカメラ１の電気的な概略構成を示すブロック図である。
デジタルカメラ１は、撮影レンズ２、レンズ駆動ブロック３、ＣＣＤ４、ドライバ５、ＴＧ６（timing generator）、ユニット回路７、画像生成部８、ＣＰＵ９、キー入力部１０、メモリ１１、ＤＲＡＭ１２、フラッシュメモリ１３、画像表示部１４、Ｉ／Ｏポート１５、バス１６を備えている。
【００２４】
撮影レンズ２は、図示しないフォーカスレンズ、ズームレンズを含み、レンズ駆動ブロック３が接続されている。レンズ駆動ブロック３は、図示しないフォーカスレンズ、ズームレンズをそれぞれ光軸方向に駆動させるフォーカスモータ、ズームモータと、ＣＰＵ９からの制御信号にしたがってフォーカスモータ、ズームモータをそれぞれ光軸方向に駆動させるフォーカスモータドライバ、ズームモータドライバから構成されている。
【００２５】
ＣＣＤ４（撮像素子）は、ドライバ５によって駆動され、一定周期毎に被写体像のＲＧＢ値の各色の光の強さを光電変換して撮像信号としてユニット回路７に出力する。このドライバ５、ユニット回路７の動作タイミングはＴＧ６を介してＣＰＵ９により制御される。なお、ＣＣＤ４はベイヤー配列の色フィルターを有しており、電子シャッタとしての機能も有する。この電子シャッタのシャッタ速度は、ドライバ５、ＴＧ６を介してＣＰＵ９によって制御される。
【００２６】
ユニット回路７には、ＴＧ６が接続されており、ＣＣＤ４から出力される撮像信号を相関二重サンプリングして保持するＣＤＳ（Correlated Double Sampling）回路、そのサンプリング後の撮像信号の自動利得調整を行なうＡＧＣ（Automatic Gain Control）回路、その自動利得調整後のアナログの撮像信号をデジタル信号に変換するＡ／Ｄ変換器から構成されており、ＣＣＤ４から出力された撮像信号はユニット回路７を経てデジタル信号として画像生成部８に送られる。
【００２７】
画像生成部８は、ユニット回路７から送られてきた画像データに対してγ補正処理、ホワイトバランス処理などの処理を施すとともに、輝度色差信号（ＹＵＶデータ）を生成し、該生成された輝度色差信号の画像データはＣＰＵ９に送られる。つまり、画像生成部８は、ＣＣＤ４から出力された画像データに対して画像処理を施す。
【００２８】
ＣＰＵ９は、撮影処理、画像生成部８から送られてきた画像データに基づく画像ファイルを記録する機能、及び画像ファイルを外部記録装置にコピー転送する機能、画像ファイルを消去する機能を有するとともに、デジタルカメラ１の各部を制御するワンチップマイコンである。
【００２９】
キー入力部１０は、電源Ｏｎ／Ｏｆｆキー、モード切替キー、シャッタボタン、十字キー、セットキー、転送キー、削除キー、キャンセルキー等の複数の操作キーを含み、ユーザのキー操作に応じた操作信号をＣＰＵ９に出力する。
メモリ１１には、ＣＰＵ９が各部を制御するのに必要な制御プログラム、及び必要なデータが記録されており、ＣＰＵ９は、該プログラムに従い動作する。
【００３０】
ＤＲＡＭ１２は、ＣＣＤ４によって撮像された後、ＣＰＵ９に送られてきた画像データを一時記憶するバッファメモリとして使用されるとともに、ＣＰＵ９のワーキングメモリ１１として使用される。
フラッシュメモリ１３は、圧縮された画像データを保存する記録媒体である。なお、このフラッシュメモリ１３は、内蔵型であってもよいし、デジタルカメラ１から着脱可能なメモリであってもよい。要は、撮影処理により撮影された画像データに基づく画像ファイルが直接記録されるものであればよい。
【００３１】
画像表示部１４は、カラーＬＣＤとその駆動回路を含み、撮影待機状態にあるときには、ＣＣＤ４によって撮像された被写体をスルー画像として表示し、動画撮影中のときもＣＣＤ４によって撮像された被写体の動画を表示させる。また、動画撮影中に静止画撮影処理が行なわれた場合は、動画とともに撮影された静止画を表示させる。
【００３２】
Ｉ／Ｏポート１５は、外部記録装置（例えば、デジタルカメラやパソコン等の画像を記録することができる電子機器や単なる外部記録媒体（メモリ１１カード等））との間でデータの入出力を行うものであり、ＵＳＢ（Universal Serial Bus）規格、ＩＥＥＥ１３９４規格などの各種インターフェース規格による入出力を可能としており、これらの規格によるデータ入出力可能な電子カメラなどの電子機器と接続可能となっている。
また、ＩｒＤＡ規格による赤外線通信や、無線通信により外部記録装置と画像ファイルのデータの入出力を行うようにしてもよい。
【００３３】
Ｂ．デジタルカメラ１の動作
実施の形態におけるデジタルカメラ１の動作を図２のフローチャートに従って説明する。
【００３４】
ユーザのキー入力部１０の電源Ｏｎ／Ｏｆｆキーの操作によりデジタルカメラ１の電源がＯｎされると、ステップＳ１で、ＣＰＵ９は、現在設定されているモードが撮影モードであるか否かを判断する。
ユーザは、キー入力部１０のモード切替キーを操作することにより、任意のモードに設定を切替えることができる。
【００３５】
ステップＳ１で、現在設定されているモードが撮影モードであると判断すると、ステップＳ２で、ＣＰＵ９は、所定のフレームレートでＣＣＤ４による撮像を開始させ、ＣＣＤ４から順次出力され、画像生成部８によって順次生成された輝度色差信号の画像データをバッファメモリ（ＤＲＡＭ１２）に記憶させていき、該記憶させた画像データを画像表示部１４に表示させていくという、いわゆるスルー画像表示を開始する。
【００３６】
次いで、ステップＳ３で、ＣＰＵ９は、ユーザによって撮影が指示されたか否かを判断する。この判断は、シャッタボタンの押下に対応する操作信号がキー入力部１０から送られてきたか否かにより判断する。
ステップＳ３で、撮影が指示されていないと判断すると撮影が指示されるまでステップＳ３に留まる。
【００３７】
一方、ステップＳ３で、撮影が指示されたと判断すると、ステップＳ４に進み、ＣＰＵ９は、撮影処理を開始し（撮影制御手段）、ステップＳ５で、該撮影処理が終了したか否かを判断する。
この撮影処理は、静止画撮影処理であってもよいし、動画撮影処理であってもよい。
ステップＳ５で、撮影処理が終了したと判断すると、ステップＳ６で、ＣＰＵ９は、該撮影処理により得られた画像データに基づいて画像ファイルを生成する。
この画像ファイルは、少なくともヘッダー部と画像データ部とを有し、画像データ部には、サムネイル画像データと撮影画像データとが記録される。
【００３８】
次いで、ステップＳ７で、ＣＰＵ９は、該生成された画像ファイルをフラッシュメモリ１３に記録すると共に、該記録した画像ファイルのヘッダーに、本デジタルカメラ１で撮影された画像である旨の情報（撮影画像情報）を記録する（記録制御手段）。つまり、フラッシュメモリ１３に記録されている画像ファイルのうち、本デジタルカメラ１で撮影された画像ファイルと、他のデジタルカメラで撮影した画像やインターネットからダウンロードした画像ファイル（他の画像ファイル）とを区別するために、本デジタルカメラ１で撮影された画像ファイルに撮影画像情報を付す。なお、画像ファイルと撮影画像情報とを関連付けて記録させるようにしてもよい。
なお、スルー画像表示中は、常に現在のモードが撮影モードであるか否かを判断し、キー入力部１０のモード切替キーにより他のモードに設定された場合は、該設定された他のモードに移行する。
【００３９】
一方、ステップＳ１で、現在設定されているモードが撮影モードでないと判断すると、図３のステップＳ８に進み、ＣＰＵ９は、再生モードであるか否かを判断する。
【００４０】
ステップＳ８で、再生モードでないと判断すると、他のモードへ移行し、再生モードであると判断すると、ステップＳ９に進み、ＣＰＵ９は、フラッシュメモリ１３に記録されている画像ファイル（画像ファイルのファイル名やサムネイル画像など）をマルチ表示させると共に、最初の画像ファイルを選択する。このとき、選択されている画像ファイルであることをユーザに視認させるため、選択された画像ファイルは、マルチ表示されている他の画像ファイルとは差別表示される。また、この最初の画像ファイルとは、ここでは、撮影日時の古い順に画像ファイルをマルチ表示させるので、撮影日時が一番古い画像ファイルが最初となり、撮影日時が一番新しい画像ファイルが最後ということになる。この撮影日時は画像ファイルのヘッダー部に記録されている。
なお、ここでは撮影日時という基準に基づいて画像ファイルをマルチ表示させるようにしたが、他の基準に基づいて表示させ、該基準に基づく最初の画像ファイルを選択するようにしてもよい。
【００４１】
次いで、ステップＳ１０で、ＣＰＵ９は、ユーザによって十字キーが操作されたか否かを判断する。この判断は、十字キーの操作に対応する操作信号がキー入力部１０から送られてきたか否かにより判断する。
ステップＳ１０で、十字キーの操作が行われたと判断すると、ＣＰＵ９は、該操作に従って画像を選択して（ステップＳ１１）、ステップＳ１２に進み、十字キーの操作が行われていないと判断すると、そのままステップＳ１２に進む。
例えば、十字キーの「↓」キーの操作が行なわれると、ＣＰＵ９は、次に古い画像ファイルを選択し、逆に十字キーの「↑」キーの操作が行なわれると、ＣＰＵ９は、１つ前に古い画像ファイルを選択することになる。
なお、この新たに選択された画像ファイルは、新たに選択された画像ファイルであることをユーザに視認させるため差別表示される。
【００４２】
ステップＳ１２に進むと、ＣＰＵ９は、該選択している画像ファイルを再生表示させるか否かを判断する。この判断は、セットキーの操作に対応する操作信号がキー入力部１０から送られてきたか否かにより判断し、セットキーの操作に対応する操作信号が送られてくると再生表示させると判断する。
ステップＳ１２で、該選択している画像ファイルを再生表示させないと判断するとステップＳ１０に戻る。
【００４３】
一方、ステップＳ１２で、該選択している画像ファイルを再生表示させると判断すると、ステップＳ１３に進み、ＣＰＵ９は、該選択している画像ファイルをフラッシュメモリ１３から読み出してバッファメモリに記憶させる。
次いで、ステップＳ１４で、ＣＰＵ９は、現在選択されている画像ファイル（該読み出した画像ファイル）のヘッダーにコピー情報が記録されている否か、つまり、該画像ファイルにコピー情報が付加されているか否かを判断する。
【００４４】
ステップＳ１４で、コピー情報が付されていると判断すると、ステップＳ１５に進み、ＣＰＵ９は、該読み出した画像ファイルの画像を画像表示部１４に全面表示させると共に、該付加されているコピー情報も表示させて（表示制御手段）、ステップＳ１７に進む。このコピー情報は、コピー転送を行なった旨とコピー転送を行なった回数（コピー転送回数）を含む。このコピー転送については後述する。
一方、ステップＳ１４で、コピー情報が付加されていないと判断すると、ステップＳ１６に進み、ＣＰＵ９は、該読み出した画像ファイルの画像を画像表示部１４に全面表示させて（表示制御手段）、ステップＳ１７に進む。
このように画像ファイルを再生表示させる場合には、コピー情報が付されているか否かを判断し、コピー情報が付されている場合には、画像ファイルの再生表示と共にコピー情報も表示させるので、既にコピー転送された画像ファイルであるかどうかをユーザは認識することができる。
【００４５】
ステップＳ１７に進むと、ＣＰＵ９は、該表示させている画像ファイルをコピーし、このコピーされた画像ファイルを外部記録装置に転送するというコピー転送を行なうか否かを判断する。この判断は、転送キーの操作に対応する操作信号がキー入力部１０から送られてきたか否かにより判断する。
ここで、コピーの元となる画像ファイルを元画像ファイルといい、元画像ファイルをコピーして得られた画像ファイルを複製画像ファイルという。つまり、元画像ファイルとは、フラッシュメモリ１３に記録されている画像ファイルのことをいい、元画像ファイルには、本デジタルカメラ１で撮影されフラッシュメモリ１３に記録された画像ファイル（図２のステップＳ７で記録された画像ファイル）と、他の外部器機から転送等により本デジタルカメラ１のフラッシュメモリ１３の記録された他の画像ファイル（他の撮像装置により撮影され、本デジタルカメラ１のフラッシュメモリ１３に記録された画像ファイルや、インターネットによりダウンロードされ、本デジタルカメラ１のフラッシュメモリに記録された画像ファイルなど）との両方を含む。
なお、転送キーの操作を行なう場合は、デジタルカメラ１と外部記録装置とがＩ／Ｏポート１５を介して接続されていることが前提となる。
【００４６】
ステップＳ１７で、該表示している（選択している）画像ファイルをコピー転送しないと判断すると、ステップＳ１８に進み、ＣＰＵ９は、該表示している画像ファイルを消去するか否かを判断する。この判断は、消去キーの操作に対応する操作信号がキー入力部１０から送られてきたか否かにより判断する。
ステップＳ１８で、該表示している画像ファイルを消去しないと判断すると、ステップＳ１９に進み、ＣＰＵ９は、十字キーの操作が行なわれたか否かを判断する。
【００４７】
ステップＳ１９で、十字キーの操作が行なわれていないと判断すると、ステップＳ１７に戻る。
一方、ステップＳ１９で、十字キーの操作が行われたと判断すると、ＣＰＵ９は、該操作に従って画像ファイルを選択して（ステップＳ２０）、ステップＳ１３に戻る。これにより、再生表示される画像ファイルが変更されることになる。
【００４８】
なお、画像ファイルの画像を再生表示させている場合において、キー入力部１０のキャンセルキーが操作されると、図３のステップＳ９に戻るようにしてもよい。つまり、再生表示中にキャンセルキーが操作されると、フラッシュメモリ１３に記録されている画像ファイルがマルチ表示させる状態に移行することになる。このときは、最初の画像ファイルを選択するのではなく、現在選択されて再生表示されていた画像ファイルを引き続き選択した状態とする。
【００４９】
一方、ステップＳ１７で、該表示している画像ファイル（バッファメモリに記憶されている画像ファイル）を外部記録装置にコピー転送すると判断すると、図４のステップＳ２１に進み、ＣＰＵ９は、コピー転送先（コピー先）の外部記録装置の識別情報（例えば、ＩＤ情報）を外部記録装置から取得する。この取得された識別情報はバッファメモリに記憶される。
【００５０】
次いで、ステップＳ２２で、ＣＰＵ９は、該表示している元画像ファイル（バッファメモリに記憶されている画像ファイル）が該接続されている外部記録装置に既にコピー転送されているか否かを判断する（転送済判断手段）。この判断は、元画像ファイルにコピー先情報が記録（付加）されている場合は、記録されているコピー先情報（コピー先の識別情報）と該取得した識別情報とが一致している場合に、該表示している元画像ファイルは接続されている外部記録装置に既にコピー転送されていると判断し、元画像ファイルに記録されているコピー先情報と、該取得した識別情報とが一致していない場合には、該表示している元画像ファイルは接続されている外部記録装置に未だコピー転送されていないと判断する。
また、該元画像ファイルにコピー先情報が記憶されていない場合、つまり、コピーが行なわれていない場合は、該表示している元画像ファイルは接続されている外部記録装置に未だコピー転送されていないと判断する。
【００５１】
ステップＳ２２で、該表示している元画像ファイルが接続されている外部記録装置に既にコピー転送されていると判断すると、ステップＳ２３で、ＣＰＵ９は、「該画像ファイルは接続している外部記録装置に、過去にコピーされたことがあります。本当にコピーを行ないますか？」等のコピー転送を行なうか否かを確認させるための画面を画像表示部１４に表示させる（転送確認手段）。
【００５２】
次いで、ステップＳ２４で、ＣＰＵ９は、コピー転送を実行するか、キャンセルをするかを判断する。この判断は、キー入力部１０から送られてくる操作信号に基づいて判断し、具体的には、セットキーの操作に対応する操作信号がキー入力部１０から送られてきた場合はコピー転送を実行すると判断し、キャンセルキーの操作に対応する操作信号がキー入力部１０から送られてきた場合は、コピー転送をキャンセルすると判断する。
ステップＳ２４で、コピー転送をキャンセルすると判断すると図３のステップＳ１９に戻り、コピー転送を実行すると判断するとステップＳ２５に進む。
一方、ステップＳ２２で、該表示している元画像ファイルが接続されている外部記録装置に既にコピー転送されていないと判断するとそのままステップＳ２５に進む。
【００５３】
ステップＳ２５に進むと、ＣＰＵ９は、該表示させている元画像ファイル（バッファメモリに記憶している画像ファイル）のコピー転送を開始させる。つまり、該表示している元画像ファイルをコピーし、該コピーされた複製画像ファイルを外部記録装置に転送させるというコピー転送処理を開始させる（転送手段）。
次いで、ステップＳ２６で、ＣＰＵ９は、複製画像ファイルのコピー転送が終了したか否かを判断する。
ステップＳ２６で、終了していないと判断すると終了するまでステップＳ２６に留まり、終了したと判断すると、ステップＳ２７に進み、ＣＰＵ９は、コピー転送の元となるフラッシュメモリ１３に記録されている元画像ファイルのヘッダーに、ステップＳ２１で取得した識別情報をコピー先情報として記録させる（付加手段）。
【００５４】
次いで、ステップＳ２８で、再生表示している元画像ファイル（バッファッメモリ１１に記憶されている画像ファイル）のヘッダーに、本デジタルカメラ１で撮影された画像である旨の情報（撮影画像情報）が記録されているか否かを判断する。
ステップＳ２８で、撮影画像情報が記録されていると判断すると、ステップＳ２９進み、ＣＰＵ９は、コピー転送の元となるフラッシュメモリ１３に記録されている元画像ファイルのヘッダーに、コピー情報を記録させて（付加手段）、ステップＳ３０に進む。このとき、既に元画像ファイルのヘッダーにコピー情報が記録されている場合には、コピー転送回数をインクリメントして記録させ、元画像ファイルのヘッダーにコピー情報が記録されていない場合は、コピー転送された旨とコピー転送回数１回をコピー情報として記録させる。
【００５５】
尚、外部記録装置に画像データをコピー転送する際、外部記録装置にコピー転送される画像データ、つまり、コピー転送のために複製された複製画像データには、当該デジタルカメラ１によって撮影された旨を示す撮影画像情報や元画像データのコピー情報などといった、当該デジタルカメラ１で画像データに付加した管理情報は、付加されずにコピー転送されることが好ましい。これにより、外部記録装置にとっては不要な付属情報を、予め省いておくことができる。
【００５６】
また、このように、本デジタルカメラ１で撮影されてフラッシュメモリ１３に記録された元画像ファイルであっても、コピー転送を行なう際には、元画像ファイルから生成された複製画像ファイルには、元画像ファイルに付加されている撮影画像情報やコピー情報等の管理情報を省いてコピー転送を行なうので、本デジタルカメラ１で撮影された画像ファイルから生成された複製画像ファイルが、本デジタルカメラ１のフラッシュメモリ１３に記録されるようなことがあっても、該複製画像ファイルはで撮影された画像ファイルであると認識されないことになる。例えば、本デジタルカメラ１で撮影された画像ファイルの複製画像ファイルが外部記録装置にコピー転送された後、該複製画像ファイルが廻り巡って本デジタルカメラ１の下に戻ってきたとしても（転送されてきたとしても）、この複製画像ファイルは本デジタルカメラ１で撮影された画像ファイルであると認識しないことになる。これにより、本デジタルカメラ１で直接撮影されて記録された元画像ファイルのみを管理することができる。
【００５７】
なお、本デジタルカメラ１で撮影されていない元画像ファイル（他の撮影装置によって撮影されて本デジタルカメラ１のフラッシュメモリ１３に記録された画像ファイルや、インターネットによりダウンロードされて本デジタルカメラ１のフラッシュメモリ１３に記録された画像ファイル）は、どの外部記録装置にコピー転送したか否かだけを（コピー先の識別情報だけを）管理するので、本デジタルカメラ１で撮影された元画像ファイルから生成された複製画像ファイルが、本デジタルカメラ１に外部記録装置から転送されてきた場合は、該転送されてきた複製画像ファイルは、以後、どの外部記録装置にコピー転送したか否かだけが管理されることになる。
【００５８】
図６は、フラッシュメモリ１３に記録されている画像ファイルの様子を示すものである。
図を見ると、ヘッダー部には撮影画像情報とコピー情報とコピー先の識別情報（コピー先情報）が記録されているのが分かり、これにより、この画像ファイルは、本デジタルカメラ１で撮影された画像ファイルあり、外部記録装置に既にコピー転送された画像ファイルであることも分かる。
【００５９】
一方、ステップＳ２８で、撮影画像情報が記録されていないと判断するとそのままステップＳ３０に進む。つまり、本デジタルカメラ１で撮影されていない画像ファイルの場合には、該画像ファイルをコピー転送してもコピー情報を記録させないことになる。即ち、本デジタルカメラ１で撮影された画像ファイル以外の画像ファイルについてコピー情報を管理しないことになる。本デジタルカメラ１で撮影された画像ファイル以外の画像ファイルは、既にどこかの外部記録装置に記録されているものであり、管理対象から除くことが好ましいからである。
ステップＳ３０に進むと、外部記録装置にコピー転送が終了した旨を報知して、図３のステップＳ１９に戻る。
【００６０】
一方、図３のステップＳ１８で、該表示している画像ファイルを消去すると判断すると、図５のステップＳ３１に進み、ＣＰＵ９は、再生している画像ファイル（バッファメモリに記憶されている画像ファイル）に撮影画像情報が記録されているか否かを判断する。つまり、該表示されている画像ファイルは、本デジタルカメラ１で撮影された画像ファイルであるかを判断する。
【００６１】
ステップＳ３１で、撮影画像情報が記録されていると判断すると、ステップＳ３２に進み、ＣＰＵ９は、再生している画像ファイルにコピー情報が記録されているか否かを判断する（判断手段）。
ステップＳ３２で、コピー情報が記録されていると判断すると、ステップＳ３３に進み、ＣＰＵ９は、コピー情報のコピー転送回数が所定回数以上か否かを判断する。つまり、該表示している画像ファイルは所定回数以上コピー転送されたものであるか否かを判断することになる。
【００６２】
ステップＳ３３で、コピー転送回数が所定回数以上であると判断すると、ステップＳ３４に進み、ＣＰＵ９は、重要度が高い旨の重度の警告表示を行って（第２の警告手段）、ステップＳ３６に進む。所定回数以上もコピー転送されている画像ファイルは、今後もコピー転送される可能性が高いからである。
一方、ステップＳ３２で、コピー情報が記録されていないと判断すると、ステップＳ３５に進み、ＣＰＵ９は、該画像ファイルは未だコピー転送されていない旨を警告して（第１の警告手段）、ステップＳ３６に進む。未コピーの画像ファイルを消去してしまうと、同一の画像ファイルは存在しなくなってしまうからである。
【００６３】
ステップＳ３６に進むと、ＣＰＵ９は、消去を実行するか否かを判断する。この判断は、キー入力部１０から送られてくる操作信号に基づいて判断し、具体的には、セットキーの操作に対応する操作信号がキー入力部１０から送られてきた場合は消去を実行すると判断し、キャンセルキーの操作に対応する操作信号がキー入力部１０から送られてきた場合は、消去をキャンセルすると判断する。
【００６４】
ステップＳ３６で、消去を実行しないと判断すると図３のステップＳ１９に進み、つまり、消去実行をキャンセルし、ステップＳ３６で、消去を実行すると判断すると、ステップＳ３７に進む。
一方、ステップＳ３１で、再生表示している画像ファイルに撮影画像情報が記録されていないと判断された場合、ステップＳ３３で、コピー情報のコピー転送回数が所定回数以上でないと判断された場合は、そのままステップＳ３７に進む。
【００６５】
ステップＳ３７に進むと、ＣＰＵ９は、消去を行なうか否かの確認表示を行い、ステップＳ３８で、ＣＰＵ９は、消去を実行するか否かの判断を行う。
ステップＳ３８で消去を実行しないと判断すると、図３のステップＳ１９に進み、ステップＳ３８で消去を実行すると判断すると、該再生表示している画像ファイルをフラッシュメモリ１３から消去する消去処理を行う。
【００６６】
このように、本デジタルカメラ１で撮影された画像ファイルであって、未だコピー転送されていない画像ファイルを消去する場合は、未コピーである旨の警告をするとともに、間違って消去されないように二重の消去判断を行うことになる。つまり、未コピーの画像ファイルに対しては未コピーに基づく消去ガードをかけることになる（第１の消去ガード手段）。
また、本デジタルカメラ１で撮影された画像ファイルであって、既にコピー転送された画像ファイルを消去する場合には、原則として消去の確認表示のみ行うということになる。つまり、コピーされた画像ファイルに対しては未コピーに基づく消去ガードを解除するということになる。
【００６７】
また、既にコピー転送された画像ファイル（未コピーに基づく消去ガードが解除された画像ファイル）であってもコピー転送回数が所定回数以上の画像ファイルの場合には、重要度が高いので、再び消去ガードをかけることになる（第２の消去ガード手段）。
また、本デジタルカメラ１で撮影された画像ファイルの場合は、他の外部記録媒体に既に記録されているため、コピー転送がされているか否かにかかわらず消去ガードを設けないようにしている。
【００６８】
つまり、本発明では、本デジタルカメラ１で撮影された画像ファイルであって、未コピーの元画像ファイルを、既にコピー転送済みの元画像ファイルや、外部器機からの転送等により本デジタルカメラ１のフラッシュメモリ１４に記録された画像ファイルに比べ消去されにくくするということが特徴である。また、既にコピー転送済みの元画像ファイルであっても、所定回数以上コピー転送された元画像ファイルの消去を、所定回数以上コピー転送されていない元画像ファイルや、外部器機からの転送等により本デジタルカメラ１のフラッシュメモリ１４に記録された画像ファイルより消去されにくくするということが特徴である。
【００６９】
従って、未コピーの元画像ファイルや、所定回数以上コピー転送された元画像ファイルを消去できないようにしてもよい。更には、本デジタルカメラ１で撮影されていない元画像ファイルや、本デジタルカメラ１で撮影された画像ファイルであって既にコピー転送された元画像ファイルを消去する場合に確認表示を行わない場合は、未コピーの画像ファイルを消去する場合や、所定回数以上コピー転送された画像ファイルを消去する場合には、二重の消去判断（ステップＳ３６、及び、ステップＳ３８の判断）を行わずに１回の消去判断でもよい。
【００７０】
図５のフローチャートに戻り、ステップＳ４０で、消去処理を行うと、ＣＰＵ９は、該消去した画像ファイルの次に古い画像ファイルを選択して図３のステップＳ１３に戻る。
なお、再生モード中は、常に現在のモードが再生モードであるか否かを判断し、キー入力部１０のモード切替キーにより他のモードに設定された場合は、該設定された他のモードに移行する。
【００７１】
Ｄ．以上のように実施の形態においては、デジタルカメラ１で撮影された画像ファイルのヘッダーに撮影画像情報を記録させるので、デジタルカメラ１で撮影されていない画像と、デジタルカメラ１で撮影された画像とを区別することができる。
また、デジタルカメラ１で撮影された画像ファイルがコピー転送された場合には、コピー転送の元となった該該画像ファイルのヘッダーにコピー情報を記録させるので、既にコピーされた画像ファイルであるか否かを認識することができる。
【００７２】
また、コピー転送の際にはコピー転送先である外部記録装置の識別情報を、コピーの元となった画像ファイルのヘッダーに記録させるので、再び同じ外部記録装置にコピー転送することを防止することができる。
また、消去する画像ファイルにコピー情報が記録されていない場合は、未コピーである旨の警告を行うので、未コピーの画像ファイルの誤消去を防止することができる。
また、消去する画像ファイルに記録されているコピー情報に基づくコピー転送回数が所定回数以上の場合は、重要度が高いと判断し重度の警告を行なうので、使用頻度の高い画像データの誤消去を防止することができる。
【００７３】
［変形例１］
Ｅ．なお、上記実施の形態は、以下のような変形例も可能である。
【００７４】
（１）上記実施の形態においては、図３のステップＳ２７で、本デジタルカメラ１で撮影された画像ファイルであるか否かにかかわらず、元画像ファイルのヘッダーにコピー転送先の識別情報を記録するようにしたが、本デジタルカメラ１で撮影されていない画像ファイルの場合には、ヘッダーにコピー転送先の識別情報を記録しないようにしてもよい。
これにより、図３のステップＳ２２においては、本デジタルカメラ１で撮影されていない元画像ファイルをコピー転送する場合には、既に外部記録装置にコピー転送された画像ファイルでないと判断されることになる。
本デジタルカメラ１で撮影されていない画像ファイルは既にどこかの外部記録装置に記録されているので、本デジタルカメラ１で撮影されていない画像ファイルはデジタルカメラ１側で管理することなく、また、管理対象から除くことが好ましいので、本デジタルカメラ１で撮影された画像ファイルのみを、デジタルカメラ１側でコピー転送、消去を管理するようにする。
【００７５】
（２）また、上記実施の形態のおいては、図３のステップＳ２２で、外部記録装置に既にコピー転送された画像ファイルであると判断されると、コピーの確認表示を行うようにしたが（ステップＳ２３）、外部記録装置に既にコピー転送された画像ファイルであると判断された場合は、自動的にコピーを行なわないように（コピーを禁止するように）してもよい。
【００７６】
（３）また、コピー履歴モードというものを設け、コピーした画像ファイルの履歴を表示するようにしてもよい。また、コピー先の識別情報も一緒に表示させるようにしてもよい。
この場合は、メモリ１１にコピーした画像ファイルのファイル名や、コピー情報、コピー先情報などを記録させていくことになり、該記録された情報に基づいてコピーの履歴を表示させる。
【００７７】
（４）また、フラッシュメモリ１３の空き容量が所定容量より少なくなった場合は、消去優先度に基づいて自動的に画像ファイルを消去して、フラッシュメモリ１３の空きメモリ容量を所定容量以上に保つようにしてもよい。
この場合の消去優先度の順位は、第１が本デジタルカメラ１で撮影されていない画像ファイル、第２が本デジタルカメラ１で撮影された画像ファイルであって、所定回数未満コピーされた画像ファイルである。
【００７８】
（５）また、図４のステップＳ２５、ステップＳ２６においては、画像ファイルに付されたコピー情報やコピー先の識別情報、撮影画像情報等の付加された情報はコピー転送しないようにしてもよい。
【００７９】
（６）また、上記実施の形態においてコピー転送を行なう際には、元画像ファイルから複製画像ファイルを生成し、該生成した複製画像ファイルを外部記録装置に転送するようにしたが、元画像ファイルのデータを順々に外部記録装置に転送していき、外部記録装置の記録媒体側で該転送したデータに基づいて複製画像ファイルを構築させるようにしてもよい。
【００８０】
（７）また、上記実施の形態においては、本発明の撮影装置をデジタルカメラ１に適用した場合について説明したが、上記の実施の形態に限定されるものではなく、カメラ付き携帯電話、カメラ付きＰＤＡ、カメラ付きパソコン、デジタルビデオカメラ等に適用してもよく、要は被写体を撮影することができる機器であればよい。
【図面の簡単な説明】
【００８１】
【図１】本発明の実施の形態のデジタルカメラのブロック図である。
【図２】実施の形態のデジタルカメラ１の動作を示すフローチャートである。
【図３】実施の形態のデジタルカメラ１の動作を示すフローチャートである。
【図４】実施の形態のデジタルカメラ１の動作を示すフローチャートである。
【図５】実施の形態のデジタルカメラ１の動作を示すフローチャートである。
【図６】本デジタルカメラで撮影された画像ファイルの様子を示すものである。
【符号の説明】
【００８２】
１      デジタルカメラ
２      撮影レンズ
３      レンズ駆動ブロック
４      ＣＣＤ
５      ドライバ
６      ＴＧ
７      ユニット回路
８      画像生成部
９      ＣＰＵ
１０    キー入力部
１１    メモリ
１２    ＤＲＡＭ
１３    フラッシュメモリ
１４    画像表示部
１５    Ｉ／Ｏポート１５
１６    バス
【図１】
2008092075.tif 000003
【図２】
2008092075.tif 000004
【図３】
2008092075.tif 000005
【図４】
2008092075.tif 000006
【図５】
2008092075.tif 000007
【図６】
2008092075.tif 000008